(57)【要約】【課題】音声通話をデータ送受信に切り替えることなく１回の通信でコンテンツを送受信する。【解決手段】通信部１２が発呼して音声セッションと制御セッションの両方を確立し、制御セッションを利用してコンテンツを受信することにより、音声通話を行いながらコンテンツを受信することが可能となり、さらに、音声セッションを切断してもコンテンツを受信することができる。音声通信とデータ通信を別々のセッションで行うので、コンテンツの送受信にみなし音声を使用しなくてもよく、みなし音声への変換処理が不要となり、負担をかけることなくコンテンツの送受信が可能となる。【選択図】図１
2010268060.tif 000002
【特許請求の範囲】
【請求項１】
コンテンツ取得装置がコンテンツ配信装置からネットワークを介してコンテンツを取得するコンテンツ取得方法であって、
前記コンテンツ取得装置による、
前記コンテンツ配信装置へ発呼して音声通信に利用する音声セッションとデータ通信に利用する制御セッションの２つのセッションを確立するステップと、
前記コンテンツ配信装置から前記制御セッションを用いて前記コンテンツを受信するステップと、を有し、
前記コンテンツ取得装置は、前記音声セッションを切断した後も前記制御セッションを確立したまま前記コンテンツを受信することを特徴とするコンテンツ取得方法。
【請求項２】
前記コンテンツ取得装置による、
前記コンテンツ配信装置が提供するコンテンツの一覧を利用者へ提示して取得するコンテンツの選択を前記利用者から受け付けるために利用可能な能力を示す能力情報を生成するステップと、
前記能力情報を前記制御セッションを用いて前記コンテンツ配信装置へ送信するステップと、
前記コンテンツ配信装置による、
前記能力情報を受信して当該能力情報に応じた方法でコンテンツの一覧を前記コンテンツ取得装置へ提供するステップと、
前記コンテンツ取得装置による、
前記コンテンツ取得装置が提供する前記コンテンツの一覧を前記利用者へ提示してコンテンツの選択を受け付けるステップと、
を有することを特徴とする請求項１記載のコンテンツ取得方法。
【請求項３】
前記コンテンツ配信装置は、音声通信により前記コンテンツの一覧を提供することを特徴とする請求項２記載のコンテンツ取得方法。
【請求項４】
前記コンテンツ配信装置は、データ通信により前記コンテンツの一覧を提供することを特徴とする請求項２記載のコンテンツ取得方法。
【請求項５】
コンテンツ取得装置がコンテンツ配信装置からネットワークを介してコンテンツを取得するコンテンツ取得方法であって、
前記コンテンツ取得装置による、
ＳＩＰを利用して前記コンテンツ配信装置へ発呼してデータ通信に利用する制御セッションを確立するステップと、
前記コンテンツ配信装置が提供するコンテンツの一覧を利用者へ提示して取得するコンテンツの選択を前記利用者から受け付けるために利用可能な能力を示す能力情報を生成するステップと、
前記能力情報を前記制御セッションを用いて前記コンテンツ配信装置へ送信するステップと、
前記コンテンツ配信装置による、
前記能力情報を受信して当該能力情報に応じた方法でコンテンツの一覧を前記コンテンツ取得装置へ提供するステップと、
前記コンテンツ取得装置による、
前記コンテンツ取得装置が提供する前記コンテンツの一覧を前記利用者へ提示してコンテンツの選択を受け付けるステップと、
前記コンテンツ配信装置から前記制御セッションを用いて前記コンテンツを受信するステップと、
を有することを特徴とするコンテンツ取得方法。
【請求項６】
ネットワークを介してコンテンツ配信装置からコンテンツを取得するコンテンツ取得装置であって、
前記コンテンツ配信装置へ発呼して音声通信に利用する音声セッションとデータ通信に利用する制御セッションの２つのセッションを確立する通信手段と、
前記コンテンツ配信装置から前記制御セッションを用いて前記コンテンツを受信する受信手段と、を有し、
前記音声セッションを切断した後も前記制御セッションを確立したまま前記コンテンツを受信することを特徴とするコンテンツ取得装置。
【請求項７】
前記コンテンツ配信装置が提供するコンテンツの一覧を利用者へ提示してコンテンツの選択を受け付ける選択手段と、
前記選択手段の能力を示す能力情報を生成する生成手段と、を有し、
前記通信部は、前記能力情報を前記制御セッションを用いて前記コンテンツ配信装置へ送信することを特徴とする請求項６記載のコンテンツ取得装置。
【請求項８】
請求項６又は７に記載のコンテンツ取得装置を構成する各手段としてコンピュータを機能させるためのコンテンツ取得プログラム。
【請求項９】
請求項６又は７に記載のコンテンツ取得装置を構成する各手段としてコンピュータを機能させるためのコンテンツ取得プログラムを記録した記録媒体。
【発明の詳細な説明】
【技術分野】
【０００１】
本発明は、ネットワークを介してコンテンツを取得する技術に関する。
【背景技術】
【０００２】
従来、電話回線およびインターネット網を用いてコンテンツの送受信を行うシステムとしては、受信装置が送信装置へ発信してＩＶＲ（Ｉｎｔｅｒａｃｔｉｖｅ  Ｖｏｉｃｅ  Ｒｅｓｐｏｎｓｅ）を利用した音声案内によりコンテンツを選択した後、送信装置が発信して受信装置と接続し、コンテンツを送信する方法や、受信装置が発信して送信装置と接続し、利用者が送信装置から流れる音声案内に従いコンテンツを選択した後、みなし音声信号によりコンテンツを受信する方法が知られている。
【０００３】
特許文献１には、ファックス通信端末が画像データをインターネットを介して送信する技術が開示されている。
【先行技術文献】
【特許文献】
【０００４】
【特許文献１】特開２００６−３５２５５２号公報
【発明の概要】
【発明が解決しようとする課題】
【０００５】
従来技術では、コンテンツ選択には音声信号を利用し、コンテンツの送受信には音声信号以外の通信を利用するため、コンテンツの選択から取得まで１回の通信で継続して行うことができず、コンテンツの選択とコンテンツの送受信の２回の通信が必要となるという問題がある。
【０００６】
また、音声通話の後に続けてコンテンツを送受信する方法では、コンテンツの送受信がデータを音声信号に変換して送受信するみなし音声により行われており、通信路における音声信号の欠如がコンテンツデータの欠損に影響を及ぼすという問題がある。
【０００７】
本発明は、上記に鑑みてなされたものであり、音声通話をデータ送受信に切り替えることなく１回の通信でコンテンツを送受信するを目的とする。
【課題を解決するための手段】
【０００８】
第１の本発明に係るコンテンツ取得方法は、コンテンツ取得装置がコンテンツ配信装置からネットワークを介してコンテンツを取得するコンテンツ取得方法であって、コンテンツ取得装置による、コンテンツ配信装置へ発呼して音声通信に利用する音声セッションとデータ通信に利用する制御セッションの２つのセッションを確立するステップと、コンテンツ配信装置から制御セッションを用いてコンテンツを受信するステップと、を有し、コンテンツ取得装置は、音声セッションを切断した後も制御セッションを確立したままコンテンツを受信することを特徴とする。
【０００９】
上記コンテンツ取得方法において、コンテンツ取得装置による、コンテンツ配信装置が提供するコンテンツの一覧を利用者へ提示して取得するコンテンツの選択を利用者から受け付けるために利用可能な能力を示す能力情報を生成するステップと、能力情報を制御セッションを用いてコンテンツ配信装置へ送信するステップと、コンテンツ配信装置による、能力情報を受信して当該能力情報に応じた方法でコンテンツの一覧をコンテンツ取得装置へ提供するステップと、コンテンツ取得装置による、コンテンツ取得装置が提供するコンテンツの一覧を利用者へ提示してコンテンツの選択を受け付けるステップと、を有することを特徴とする。
【００１０】
上記コンテンツ取得方法において、コンテンツ配信装置は、音声通信によりコンテンツの一覧を提供することを特徴とする。
【００１１】
上記コンテンツ取得方法において、コンテンツ配信装置は、データ通信によりコンテンツの一覧を提供することを特徴とする。
【００１２】
第２の本発明に係るコンテンツ取得方法は、コンテンツ取得装置がコンテンツ配信装置からネットワークを介してコンテンツを取得するコンテンツ取得方法であって、コンテンツ取得装置による、ＳＩＰを利用してコンテンツ配信装置へ発呼してデータ通信に利用する制御セッションを確立するステップと、コンテンツ配信装置が提供するコンテンツの一覧を利用者へ提示して取得するコンテンツの選択を利用者から受け付けるために利用可能な能力を示す能力情報を生成するステップと、能力情報を制御セッションを用いてコンテンツ配信装置へ送信するステップと、コンテンツ配信装置による、能力情報を受信して当該能力情報に応じた方法でコンテンツの一覧をコンテンツ取得装置へ提供するステップと、コンテンツ取得装置による、コンテンツ取得装置が提供するコンテンツの一覧を利用者へ提示してコンテンツの選択を受け付けるステップと、コンテンツ配信装置から制御セッションを用いてコンテンツを受信するステップと、を有することを特徴とする。
【００１３】
第３の本発明に係るコンテンツ取得装置は、ネットワークを介してコンテンツ配信装置からコンテンツを取得するコンテンツ取得装置であって、コンテンツ配信装置へ発呼して音声通信に利用する音声セッションとデータ通信に利用する制御セッションの２つのセッションを確立する通信手段と、コンテンツ配信装置から制御セッションを用いてコンテンツを受信する受信手段と、を有し、音声セッションを切断した後も制御セッションを確立したままコンテンツを受信することを特徴とする。
【００１４】
上記コンテンツ取得装置において、コンテンツ配信装置が提供するコンテンツの一覧を利用者へ提示してコンテンツの選択を受け付ける選択手段と、選択手段の能力を示す能力情報を生成する生成手段と、を有し、通信部は、能力情報を制御セッションを用いてコンテンツ配信装置へ送信することを特徴とする。
【００１５】
第４の本発明に係るコンテンツ取得プログラムは、上記コンテンツ取得装置を構成する各手段としてコンピュータを機能させることを特徴とする。
【００１６】
第５の本発明に係る記録媒体は、上記コンテンツ取得装置を構成する各手段としてコンピュータを機能させるためのコンテンツ取得プログラムを記録したことを特徴とする。
【発明の効果】
【００１７】
本発明によれば、音声通話をデータ送受信に切り替えることなく１回の通信でコンテンツを送受信することができる。
【図面の簡単な説明】
【００１８】
【図１】第１の実施の形態におけるコンテンツ配信システムの構成を示すブロック図である。
【図２】能力情報の例を示す図である。
【図３】コンテンツリストの例を示す図である。
【図４】上記コンテンツ配信システムにおいて、音声セッションと制御セッションを確立し、コンテンツ受信装置が自身の能力を通知するまでの処理の流れを示すシーケンス図である。
【図５】音声によりコンテンツの選択を促し、コンテンツを受信する処理の流れを示すシーケンス図である。
【図６】コンテンツリストを表示してコンテンツの選択を促し、コンテンツを受信する処理の流れを示すシーケンス図である。
【図７】第２の実施の形態におけるコンテンツ配信システムの処理の流れを示すシーケンス図である。
【発明を実施するための形態】
【００１９】
以下、本発明の実施の形態について図面を用いて説明する。
【００２０】
［第１の実施の形態］
図１は、第１の実施の形態におけるコンテンツ配信システムの構成を示すブロック図である。同図に示すコンテンツ配信システムは、コンテンツ受信装置１０とコンテンツ配信サーバ２０を備え、呼制御にＳＩＰ（Ｓｅｓｓｉｏｎ  Ｉｎｉｔｉａｔｉｏｎ  Ｐｒｏｔｏｃｏｌ）を利用し、ＩＰネットワーク１００を介してコンテンツを送受信する。
【００２１】
コンテンツ受信装置１０は、通信Ｉ／Ｆ（Ｉｎｔｅｒｆａｃｅ）１１、通信部１２、能力生成部１３、コンテンツ選択部１４、およびコンテンツ受信部１５を備え、ボタン電話機の機能および受信した文書等のコンテンツを印刷する機能を有する。コンテンツ受信装置１０は、演算処理装置、記憶装置、メモリ等を備えたコンピュータにより構成して、各部の処理がプログラムによって実行されるものとしてもよい。このプログラムはコンテンツ受信装置１０が備える記憶装置に記憶されており、磁気ディスク、光ディスク、半導体メモリ等の記録媒体に記録することも、ネットワークを通して提供することも可能である。以下、各部について説明する。
【００２２】
通信部１２は、呼制御、音声通信及びデータ通信を行い、音声通信に利用する音声セッションとデータ通信に利用する制御セッションの２つのセッションがコンテンツ配信サーバ２０との間で確立するように発呼する。通信部１２は、通信Ｉ／Ｆ１１を介してＩＰネットワーク１００に接続される。
【００２３】
能力生成部１３は、コンテンツ受信装置１０の能力情報を生成する。能力情報とは、コンテンツの選択を利用者から受け付けるために利用可能な手段の有無や性能であり、例えば、操作ボタンの有無、表示手段の有無、受話器の有無などである。図２に能力情報の例を示す。能力生成部１３が生成した能力情報は、制御セッションを用いてコンテンツ配信サーバ２０へ送信される。コンテンツ配信サーバ２０は、その能力情報に応じたコンテンツ選択方法を提供する。
【００２４】
コンテンツ選択部１４は、コンテンツ選択部１４に接続された各種手段を用いて、利用者にコンテンツの選択を促し、コンテンツの選択を受け付ける。図１に示す実施例では、コンテンツ選択部１４には、入力部１４１および表示部１４２が接続されている。入力部１４１は、例えば操作ボタンを有し、表示部１４２は、例えば液晶ディスプレイを有する。
【００２５】
コンテンツ受信部１５は、制御セッションを用いてコンテンツを受信して記憶装置などに格納する。受信した文書や写真などのコンテンツを印刷する機能や表示する機能を備えるものでもよい。
【００２６】
一方、コンテンツ配信サーバ２０は、通信Ｉ／Ｆ２１、通信部２２、能力選択部２３、応答機能部２３１、コンテンツリスト部２３２、コンテンツ送信部２４、およびコンテンツ蓄積部２５を備える。
【００２７】
通信部２２は、呼制御、音声通信及びデータ通信を行う。通信部２２は、通信Ｉ／Ｆ２１を介してＩＰネットワーク１００に接続される。
【００２８】
能力選択部２３は、コンテンツ受信装置１０から受信した能力情報に基づき、コンテンツ受信装置１０に提供するコンテンツ選択方法を決定する。能力選択部２３は、コンテンツ選択方法を提供するための応答機能部２３１およびコンテンツリスト部２３２を有する。応答機能部２３１は、音声セッションを利用した音声案内によりコンテンツの一覧を提供してコンテンツの選択を促す。コンテンツリスト部２３２は、コンテンツの一覧であるコンテンツリストを送信して表示させてコンテンツの選択を促す。図３にコンテンツリストの例を示す。同図では文書や写真などのコンテンツの例を示しているが、もちろんこれに限るものではなく、音楽や動画などその他のデータをコンテンツとするものでもよい。
【００２９】
コンテンツ送信部２４は、送信すべきコンテンツをコンテンツ蓄積部２５から読み出し、コンテンツ受信装置１０へ送信する。
【００３０】
次に、コンテンツを送受信する処理の流れについて説明する。
【００３１】
図４は、コンテンツ受信装置１０とコンテンツ配信サーバ２０との間で通信を確立し、コンテンツ受信装置１０が自身の能力を通知するまでの処理の流れを示すシーケンス図である。
【００３２】
まず、コンテンツ受信装置１０の通信部１２が音声セッション、制御セッションの両方を確立するように指定してコンテンツ配信サーバ２０に発呼する（ステップＳ１１）。具体的には、ＳＤＰ（Ｓｅｓｓｉｏｎ  Ｄｅｓｃｒｉｐｔｉｏｎ  Ｐｒｏｔｏｃｏｌ）のメディア名（m で指定するパラメータ）に、"m=audio" と "m=application" に始まるＲＦＣに準拠した記述形式を２つを記述して発呼する。
【００３３】
続いて、コンテンツ配信サーバ２０が呼び出し中であることをコンテンツ受信装置１０に通知し（ステップＳ１２）、着呼する（Ｓ１３）。コンテンツ配信サーバ２０は、着呼すると、音声セッションおよび制御セッションの両方に対応可能である旨を応答する（ステップＳ１４）。
【００３４】
応答を受信したコンテンツ受信装置１０は、コンテンツ配信サーバ２０が音声セッションと制御セッションの両方に対応可能であることを確認する（ステップＳ１５）。そして、コンテンツ受信装置１０とコンテンツ配信サーバ２０との間に、ＲＴＰ（Ｒｅａｌ−ｔｉｍｅ  Ｔｒａｎｓｐｏｒｔ  Ｐｒｏｔｏｃｏｌ）を利用する音声セッションとＴＣＰ（Ｔｒａｎｓｍｉｓｓｉｏｎ  Ｃｏｎｔｒｏｌ  Ｐｒｏｔｏｃｏｌ）を利用する制御セッションの２つのセッションを確立する（ステップＳ１６、ステップＳ１７）。
【００３５】
また、通信部１２は、能力生成部１３にコンテンツ選択に用いる能力情報を要求する（ステップＳ１８）。能力生成部１３は、コンテンツ選択部１４に問い合わせ（ステップＳ１９）、コンテンツ選択部１４からの応答に応じた能力情報を通信部１２に通知する（ステップＳ２０、ステップＳ２１）。そして、通信部１２はその能力情報をコンテンツ配信サーバ２０へ送信する（ステップＳ２２）。
【００３６】
コンテンツ配信サーバ２０は、能力情報を受信すると、能力通知受信確認を返すとともに（ステップＳ２３）、受信した能力情報を能力選択部２３へ通知する（ステップＳ２４）。
【００３７】
ここまでの処理でコンテンツ受信装置１０とコンテンツ配信サーバ２０との間に音声セッションと制御セッションが確立され、コンテンツ受信装置１０のコンテンツ選択能力がコンテンツ配信サーバ２０に通知されている。以下、コンテンツ受信装置１０がコンテンツを選択してコンテンツを受信するまでの２通りの処理について説明する。１つ目は音声によりコンテンツの選択を促すものであり、２つ目はコンテンツリストを表示してコンテンツの選択を促すものである。
【００３８】
図５は、音声によりコンテンツの選択を促し、コンテンツを受信する処理の流れを示すシーケンス図であり、図４に続く処理である。コンテンツ受信装置１０にコンテンツの一覧を表示する能力がないときに用いられる。
【００３９】
図４において能力情報を受信した能力選択部２３は、その能力情報に基づきコンテンツの選択方法を選び、音声でコンテンツの選択を促す応答機能部２３１に音声案内の開始を指示する（ステップＳ３１）。
【００４０】
応答機能部２４が音声案内を開始、つまり、音声セッションを用いて音声案内を受信すると（ステップＳ３２）、利用者は、コンテンツ受信装置１０からその音声案内を聞く（ステップＳ３３）。
【００４１】
利用者は、音声案内に従い、受信したいコンテンツをボタン操作により入力部１４１に入力する（ステップＳ３４）。入力部１４１がボタン操作をコンテンツ選択部１４に通知すると（ステップＳ３５）、コンテンツ選択部１４は、ボタン操作に応じたコンテンツ選択情報をコンテンツ配信サーバ２０へ送信する（ステップＳ３６）。コンテンツ選択情報は利用者が選択したコンテンツを識別する情報を含み、制御セッションを用いて送信される。
【００４２】
コンテンツが選択されると、応答機能部２４は、音声セッションを用いて選択されたコンテンツの確認や操作案内などを送信する（ステップＳ３７）。利用者は、コンテンツ受信装置１０からその音声案内を聞く（ステップＳ３８）。また、応答機能部２４は、選択されたコンテンツをコンテンツ送信部２４へ通知する（ステップＳ３９）。コンテンツ送信部２４は、コンテンツ蓄積部２５から選択されたコンテンツを読み出してコンテンツの送信に備える（ステップＳ４０）。
【００４３】
利用者は、音声案内により送信されるコンテンツを確認し、受話器を置いて音声通信を終了する（ステップＳ４１）。ここで利用者はボタン操作をすることでコンテンツを選択し直してもよい。コンテンツを選択し直す場合はステップＳ３４の処理へ飛ぶ。
【００４４】
利用者が受話器を置くと、通信部１２は音声通話切断要求をコンテンツ配信サーバ２０へ送信し（ステップＳ４２）、コンテンツ配信サーバ２０は音声通話を切断する（ステップＳ４３）。この処理で音声セッションは切断されるが、制御セッションは確立したままである。
【００４５】
通信部１２がコンテンツ送信要求をコンテンツ配信サーバ２０へ送信すると（ステップＳ４４）、コンテンツ送信部２４が制御セッションを用いてコンテンツを送信し（ステップＳ４５）、コンテンツ受信装置１０がコンテンツを受信する（ステップＳ４６）。コンテンツの受信が終了すると制御セッションを切断し、通信を終了する。
【００４６】
図６は、コンテンツ受信装置１０がコンテンツリストを受信して表示部１４２に表示させてコンテンツの選択を促し、コンテンツを受信する処理の流れを示すシーケンス図であり、図４に続く処理である。コンテンツ受信装置１０がコンテンツの一覧を表示する能力を有するときに用いられる。
【００４７】
図４において能力情報を受信した能力選択部２３は、その能力情報に基づきコンテンツの選択方法を選び、コンテンツリスト部２３２にコンテンツリストの送信を指示する（ステップＳ５１）。このとき、操作方法などの音声案内を音声セッションを利用してコンテンツ受信装置１０へ送信してもよい。なお、以降は、コンテンツの選択に関する情報の送受信には、制御セッションのみを利用するので、音声セッションをここで切断してもよい。
【００４８】
コンテンツリストの送信を指示されたコンテンツリスト部２３２は、コンテンツ蓄積部２５にコンテンツリストを要求し（ステップＳ５２）、コンテンツリストを取得して（ステップＳ５３）、コンテンツリストをコンテンツ受信装置１０へ送信する（ステップＳ５４）。
【００４９】
コンテンツリストを受信したコンテンツ選択部１４は、表示部１４２にコンテンツリストを表示させ利用者にコンテンツの選択を促す（ステップＳ５５、ステップＳ５６）。
【００５０】
利用者は、表示部１４２を確認し、受信したいコンテンツをボタン操作により入力部１４１に入力する（ステップＳ５７）。入力部１４１がボタン操作をコンテンツ選択部１４に通知すると（ステップＳ５８）、コンテンツ選択部１４は、ボタン操作に応じたコンテンツ選択情報を通信部１２に通知し（ステップＳ５９）、通信部１２は、コンテンツ配信サーバ２０へコンテンツ送信要求を送信する（ステップＳ６０）。コンテンツ送信要求には利用者が選択したコンテンツを識別する情報を含み、制御セッションを用いて送信される。なお、コンテンツ送信要求を送信する前に、コンテンツ選択情報をコンテンツ配信サーバ２０へ送信し、送信するコンテンツの確認を利用者にさせてもよい。
【００５１】
コンテンツ配信サーバ２０がコンテンツ送信要求を受信すると、コンテンツ送信部２４は、コンテンツ蓄積部２５から選択されたコンテンツを読み出し（ステップＳ６１）、制御セッションを利用してコンテンツを送信する（ステップＳ６２）。そして、コンテンツ受信装置１０がコンテンツを受信する（ステップＳ６３）。コンテンツの受信が終了すると制御セッションを切断し、通信を終了する。
【００５２】
したがって、本実施の形態によれば、通信部１２が発呼して音声セッションと制御セッションの両方を確立し、制御セッションを利用してコンテンツを受信することにより、音声通話を行いながらコンテンツを受信することが可能となり、さらに、音声セッションを切断してもコンテンツを受信することができる。その結果、１回の通信でコンテンツの選択、取得が完結するので通信料の課金が１回で済む。また、音声通信とデータ通信を別々のセッションで行うので、コンテンツの送受信にみなし音声を使用しなくてもよく、みなし音声への変換処理が不要となり、負担をかけることなくコンテンツの送受信が可能となる。また、コンテンツの送受信にＴＣＰを用いることで、再送制御を実施することができ、コンテンツデータの欠損を防止すること可能となる。
【００５３】
本実施の形態によれば、音声セッション、制御セッションの確立後に、取得するコンテンツの選択を利用者から受け付けるために利用可能な能力を示す能力情報をコンテンツ配信サーバ２０へ送信することにより、コンテンツ配信サーバ２０は、コンテンツ受信装置１０に適した選択方法を提供することができるので、利用者の利便性を向上させることができる。
【００５４】
［第２の実施の形態］
図７は、第２の実施の形態におけるコンテンツ配信システムが通信を確立し、能力情報を送信する処理の流れを示すシーケンス図である。第２の実施の形態では、音声セッションを確立せず、制御セッションのみを確立する点で第１の実施の形態と異なる。例えば、音声案内が不要の場合に用いる。
【００５５】
図７に示すコンテンツ受信装置も第１の実施の形態と同様にＳＩＰにより呼制御を行う。通常、ＳＩＰを用いる場合は、音声通信を目的とするものであるが、第２の実施の形態では、音声通信は行わず、制御セッションを用いたデータの送受信のみを行う。以下、処理の流れについて説明する。
【００５６】
利用者がコンテンツ配信サーバ２０の電話番号を入力すると、コンテンツ受信装置１０が制御セッションを確立するように指定してコンテンツ配信サーバ２０に発呼する（ステップＳ７１）。具体的には、ＳＤＰのメディア名に、"m=application" に始まるＲＦＣに準拠した記述形式を記述して発呼する。
【００５７】
続いて、コンテンツ配信サーバ２０が呼び出し中であることをコンテンツ受信装置１０に通知し（ステップＳ７２）、着呼する（Ｓ７３）。コンテンツ配信サーバ２０は、着呼すると、制御セッションに対応可能である旨を応答する（ステップＳ７４）。
【００５８】
応答を受信したコンテンツ受信装置１０は、コンテンツ配信サーバ２０が制御セッションに対応可能であることを確認し（ステップＳ７５）、ＴＣＰを利用する制御セッションを確立する（ステップＳ７６）。
【００５９】
そして、コンテンツ受信装置１０は、コンテンツ選択能力を示す能力情報を取得してコンテンツ配信サーバ２０へ送信する（ステップＳ７７）。コンテンツ配信サーバ２０は、能力情報を受信すると、能力通知受信確認を返す（ステップＳ７８）。
【００６０】
なお、第２の実施の形態では、音声セッションを確立していないので、音声によるコンテンツ選択は行われず、図４で示したコンテンツリストを表示する方法によりコンテンツの選択が行われる。以降のコンテンツの選択、受信の処理の流れは、図６で示したものと同様であるので、重複する説明は省略する。
【符号の説明】
【００６１】
１０…コンテンツ受信装置
１１…通信Ｉ／Ｆ部
１２…通信部
１３…能力生成部
１４…コンテンツ選択部
１４１…入力部
１４２…表示部
１５…コンテンツ受信部
２０…コンテンツ配信サーバ
２１…通信Ｉ／Ｆ部
２２…通信部
２３…能力選択部
２３１…応答機能部
２３２…コンテンツリスト部
２４…コンテンツ送信部
２４…応答機能部
２５…コンテンツ蓄積部
１００…ＩＰネットワーク
【図１】
2010268060.tif 000003
【図２】
2010268060.tif 000004
【図３】
2010268060.tif 000005
【図４】
2010268060.tif 000006
【図５】
2010268060.tif 000007
【図６】
2010268060.tif 000008
【図７】
2010268060.tif 000009